(57)【要約】【課題】  本発明は、増大したディスプレイ周波数及び同時に２以上のユーザに１つ以上のメディア・ソースを提供できるフレーム・インターチェンジ技術を用いたディスプレイ・システムを提供する。【解決手段】  ディスプレイ・システムは、ブロードキャスト装置を用いる。該ブロードキャスト装置は、複数のメディア信号を複数のメディア・ソースから受信し、２以上のメディア信号をフレーム毎にインターレースして、該ブロードキャスト装置のパネルに表示される増大された周波数を有する表示信号を形成する。複数のゴーグル及び対応する同期装置、選択器及び音声再生構成要素は、各専用のメディア信号を選択し、見／聴くためにディスプレイ・システムで用いられる。各ユーザにより用いられる各ゴーグルは、同期されて、自身の選択されたメディア信号のタイミングに従うことによりオンに切り替えられ、専用のゴーグルを掛けている２人以上のユーザが単一のブロードキャスト装置で異なる番組を同時に見ることができるようにする。【選択図】図１
2012039589.tif 000002
【特許請求の範囲】
【請求項１】
複数のメディア信号を複数のメディア・ソースから受信するブロードキャスト装置；及び
複数の受信装置；
を有し、
前記ブロードキャスト装置は：
前記複数のメディア・ソースから複数のメディア信号を受信し、フレーム毎にインターレースして表示信号を形成するプロセッサ；及び
前記表示信号を第１の周波数で表示するディスプレイ；
を有し、
各前記受信装置は：
第２の周波数で前記表示信号を見るためのゴーグル；及び
前記複数のメディア・ソースから選択されたメディア信号に同期して前記表示信号を見るために前記ゴーグルをオンに切り替えるよう制御する同期装置；
を有し、
前記第１の周波数は前記第２の周波数のｎ倍であり、ｎは前記プロセッサによりインターレースされる前記複数のメディア信号の数に等しい、
ことを特徴とするディスプレイ・システム。
【請求項２】
各受信装置は：
制御信号を前記プロセッサへ送信することにより、前記複数のメディア・ソースのうちの１つにより提供される前記メディア信号を選択する選択器；
を更に有する、
ことを特徴とする請求項１に記載のディスプレイ・システム。
【請求項３】
前記選択器はリモコンである、
ことを特徴とする請求項２に記載のディスプレイ・システム。
【請求項４】
前記選択器は、前記メディア信号がＴＶチューナにより前記複数のメディア・ソースから提供されるとき、前記メディア信号のチャネルを選択するために更に用いられる、
ことを特徴とする請求項２に記載のディスプレイ・システム。
【請求項５】
前記ブロードキャスト装置は：
前記選択器により行われた選択に基づき同期信号を送信する無線送信器；
を更に有し、
前記各受信装置の同期装置は、前記同期信号を受信し、前記メディア信号に同期して前記表示信号を見るために前記ゴーグルをオンに切り替えるよう制御する無線受信器である、
ことを特徴とする請求項２に記載のディスプレイ・システム。
【請求項６】
前記無線送信器は、ＲＦモジュールであり、
前記各受信装置の無線受信器は、ＲＦ受信器である、
ことを特徴とする請求項５に記載のディスプレイ・システム。
【請求項７】
前記ブロードキャスト装置は：
前記メディア信号がＴＶチューナにより提供されるとき、前記メディア信号を復調する復調器；
を更に有する、
ことを特徴とする請求項１に記載のディスプレイ・システム。
【請求項８】
前記プロセッサは：
前記メディア信号を復号化するビデオ復号器；
を有する、
ことを特徴とする請求項１に記載のディスプレイ・システム。
【請求項９】
前記ブロードキャスト装置は：
前記表示信号を前記パネルに前記第１の周波数で表示するよう制御する時間制御部；
を更に有する、
ことを特徴とする請求項１に記載のディスプレイ・システム。
【請求項１０】
前記プロセッサは、前記メディア信号の前記音声信号を復号化する復号器を有し、
前記ブロードキャスト装置は、別個のチャネルの各復号化された音声信号をブロードキャストする音声増幅器を更に有し、
各受信装置は、前記複数のメディア信号から選択された前記メディア信号に同期して、対応するチャネルの前記音声信号を受信し再生する音声再生部を更に有する、
ことを特徴とする請求項１に記載のディスプレイ・システム。
【請求項１１】
前記各受信装置のゴーグルはシャッタ・グラスである、
ことを特徴とする請求項１に記載のディスプレイ・システム。
【請求項１２】
前記ブロードキャスト装置は、ケーブル／無線ＴＶ番組プロバイダ、ネットワーク、メディア・プレーヤ、セット・トップ・ボックス（ＳＴＢ）又はパーソナル・コンピュータからメディア信号を受信するＴＶチューナ、ＨＤＭＩ／ＶＤＩポート、Ｓビデオ・ポート、ＹＰｂＰｒポート又はネットワーク・ポートを有する、
ことを特徴とする請求項１に記載のディスプレイ・システム。
【請求項１３】
前記第２の周波数は６０Ｈｚである、請求項１記載のディスプレイ・システム。
【請求項１４】
複数のメディア・ソースから複数のメディア信号を受信し、フレーム毎にインターレースして表示信号を形成するプロセッサ；及び
前記表示信号を表示するパネル；
を有し、
前記プロセッサにより受信された前記複数のメディア信号は、少なくとも２つの異なるメディア・ソースからのものである、
ことを特徴とするブロードキャスト装置。
【請求項１５】
前記メディア信号がＴＶチューナにより提供されるとき、前記メディア信号を復調する復調器；
を更に有する請求項１４に記載のブロードキャスト装置。
【請求項１６】
前記プロセッサは：
前記メディア信号を復号化するビデオ復号器；
を有する、
ことを特徴とする請求項１４に記載のブロードキャスト装置。
【発明の詳細な説明】
【技術分野】
【０００１】
本発明は、ディスプレイ・システムに関し、より詳細には増大したディスプレイ周波数及び同時に２以上のユーザに１つ以上のメディア・ソースを提供できるフレーム・インターチェンジ技術を用いたディスプレイ・システムに関する。
【背景技術】
【０００２】
ＴＶ、プロジェクタ、種々の携帯型装置のようなディスプレイ・システムは、従来のディスプレイ技術に基づき同時に１つのメディア・ソースのみをブロードキャストできる。ディスプレイ技術の引き続き行われる進歩では、第１の番組がＴＶ画面全体に表示されているのと同時に１又は複数の第２の番組が挿入ウインドウ内に表示される画面内画面（picture-in-picture：PIP）、又はしばしば画面外画面（picture-outside-picture：POP）と称される単純に２つの同一の大きさの画像に分割されている画面が、複数のメディア・ソースを同時に提供するために発明されている。しかしながら、各メディア・ソースの表示領域は、ＰＩＰ又はＰＯＰの何れの場合も必然的に相当に縮小される。
【０００３】
「デュアル・ビュー」と称される別の技術は、正に同時に２人のユーザに二重の画像を提供するために現在提供されている。この技術は、２人のユーザがディスプレイ・システムに対してそれぞれ２つの特定の角度に位置することを要求する。デュアル・ビュー技術については、追加のブロッキング部がディスプレイ・システム内に構成されなければならない。各メディア・ソースからの２つの別個のフレームは、二重画像フレームを形成するために混合される。各ユーザが彼／彼女の特定の角度において対応するメディア・ソースのみを見ることができるように、ブロッキング部により部分的に遮断され、二重画像の各フレームの画素は半分の大きさにされる。これは、デュアル・ビュー技術の幾つかの欠点をもたらす。例えば、各メディアの解像度は半分に低下し、２つのソースのみが同時に提供され、各メディアは厳密な角度でしか見ることができない。
【発明の概要】
【発明が解決しようとする課題】
【０００４】
本発明は、増大したディスプレイ周波数及び同時に２以上のユーザに１つ以上のメディア・ソースを提供できるフレーム・インターチェンジ技術を用いたディスプレイ・システムを提供する。
【課題を解決するための手段】
【０００５】
本願は、ブロードキャスト装置及び複数の受信装置を有するディスプレイ・システムを提供する。ブロードキャスト装置は、複数のメディア信号を複数のメディア・ソースから受信するために用いられ、プロセッサ及びパネルを有する。複数のメディア・ソースからの複数のメディア信号は、プロセッサにより受信され、プロセッサによりフレーム毎にインターレースされて表示信号を形成する。パネルは、表示信号を第１の周波数で表示するために用いられる。各受信装置は、表示信号を第２の周波数で見るためのゴーグル、複数のメディア・ソースから選択されたメディア信号に同期して表示信号を見るためにゴーグルをオンに切り替えるよう制御する同期装置、を有する。第１の周波数は第２の周波数のｎ倍であり、ｎはプロセッサによりインターレースされる複数のメディア信号の数に等しい。
【０００６】
本願は、ブロードキャスト装置も提供する。ブロードキャスト装置は、プロセッサ及びパネルを有する。複数のメディア・ソースからの複数のメディア信号は、プロセッサにより受信され、プロセッサによりフレーム毎にインターレースされて表示信号を形成する。パネルは、表示信号を表示するために用いられる。プロセッサにより受信された複数のメディア信号は、少なくとも２つの異なるメディア・ソースからのものである。
【０００７】
本考案のこれら及び他の目的は、以下の種々の図及びグラフに説明された好適な実施形態の詳細な説明を読むことにより、当業者に明らかである。
【図面の簡単な説明】
【０００８】
【図１】本願のディスプレイ・システムのブロック図を示す概略図である。
【図２】増大されたディスプレイ周波数を有する表示信号を形成するために、どのように複数のメディア信号がフレーム毎にインターレースされるかを示す概略図である。
【発明を実施するための形態】
【０００９】
図１を参照する。図１は、本願のディスプレイ・システム１００のブロック図を示す概略図である。ディスプレイ・システム１００は、ブロードキャスト装置１及び複数の受信装置７０、８０、９０を有する。ブロードキャスト装置１は、フラット・パネル・テレビジョン、プロジェクタ、又は携帯型ＴＶ、携帯型ナビゲーション装置（ＰＮＤ）等のような携帯型装置であってよく、種々のソースから同時に複数のユーザにマルチメディア・コンテンツを提供する。各受信装置７０、８０、９０は、番組、映画、アニメ、ビデオ、種々のマルチメディア・コンテンツを見る又は単に音楽若しくは声楽素材のような音声コンテンツを聴く単一のユーザのためのものである。
【００１０】
ブロードキャスト装置１は、複数のメディア信号を複数のメディア・ソースから受信する多くの種類の入力ポートを有する。図１に示される好適な実施形態では、ブロードキャスト装置１は、複数のＴＶチューナ２０、ＨＤＭＩ／ＶＤＩポート２１、Ｓビデオ・ポート２２、ＹＰｂＰｒポート２３、及びネットワーク・ポート２４のうちの全て又は幾つかを有する。ＴＶチューナ２０は、無線アンテナ又はケーブルからＴＶ番組を受信しうる。次にＴＶ番組は、ブロードキャスト装置１の復調器１３により復調されるために送信される。ＨＤＭＩ／ＶＤＩポート２１、Ｓビデオ・ポート２２、ＹＰｂＰｒポート２３及びネットワーク・ポート２４は、メディア信号を、メディア・プレーヤ、セット・トップ・ボックス（ＳＴＢ）、パーソナル・コンピュータ（ＰＣ）及びインターネットのような種々のメディア・ソースから受信しうる。そして、メディア信号は、プロセッサ１０のビデオ復号器１２により復号化されるために、ブロードキャスト装置１のプロセッサ１０へ送信される。ブロードキャスト装置１のプロセッサ１０は、ユーザにより行われた選択に従って、メディア信号を上述のような１又は１以上のメディア・ソースから同時に受信してもよい。プロセッサ１０では、マルチメディア信号は、出力される表示信号を形成するために、プロセッサ１０によりフレーム毎にインターレースされる。
【００１１】
ブロードキャスト装置１は、増大された周波数でブロードキャスト装置１のパネル４０に表示するためにプロセッサ１０により生成される表示信号を制御する時間制御（Ｔ−ｃｏｎ）部６０も有する。
【００１２】
各ユーザにより選択された対応するメディア・ソースから各個別のユーザに各個別のメディア信号を効率的にブロードキャストするために、各受信装置は、特定のタイミングでブロードキャスト装置１に同期するようゴーグルを制御する同期装置を有する。受信装置７０を例に取る。受信装置７０はゴーグル７１を有する。ゴーグル７１は、望ましくは、光を通過させるようオンに切り替え、又は光が遮断されるようオフに切り替えるよう制御されうるシャッタ・グラスである。同期装置７２は、無線受信器、望ましくはＲＦ受信器であり、ＲＦ信号を受信しゴーグル７１を制御しうる制御回路を有する。受信装置７０は、選択器７３、特にリモコン（ＲＣ）も有する。選択器７３は、制御信号をブロードキャスト装置１のプロセッサ１０へ送信することにより、上述の複数のメディア・ソースからメディア・ソースを選択するためにユーザにより用いられうる。次に、プロセッサ１０は、制御信号に従って、選択されたメディア・ソースのメディア信号を受信し処理する。選択されたメディア・ソースがＴＶ番組であるとき、選択器７３は、チャネル選択の機能を提供してもよい。メディア・ソースが選択器７３により選択されると、プロセッサ１０は同期信号を生成し、無線送信器３０、望ましくはＲＦモジュールは同期信号を同期装置７２へ送信し、ゴーグル７１を制御して特定の周波数及び選択されたメディア信号をパネル４０に表示するタイミングに同期したタイミングでオン及びオフに切り替えるようにする。
【００１３】
受信装置７０の選択器７３により選択されパネル４０に表示される選択されたメディア信号のタイミングのみがゴーグル７１をオンに切り替えるタイミングに同期しているので、ゴーグル７１を掛けているユーザは、選択されたメディア信号のみを見ることができ、他の選択器により選択されパネル４０によりブロードキャストされたメディア信号を見ることはできない。
【００１４】
音声再生に関し、プロセッサ１０は、メディア・ソースの各メディア信号から受信された音声信号を復号化し処理する音声復号器１１を有する。ブロードキャスト装置１は、音声増幅器５０を用い、各復号化された音声信号を別個のチャネル、例えば第１のチャネル、第２のチャネル、・・・、及び第Ｎのチャネルでブロードキャストする。各音声信号は、対応する音声再生部７４、８４、９４により受信され、メディア・ソースから選択されたメディア信号に同期している。受信装置７０、８０、９０の音声再生部７４、８４、９４は、望ましくは各ユーザに独立した聴取条件を提供しうるヘッドセット・イヤホンである。また、音声増幅器５０と各音声再生部７４、８４、９４との間の接続は、無線で接続されるか又は物理的に接続されうる。受信装置８０、９０は、受信装置７０と同様の構造及び機能を有する。
【００１５】
図２を参照する。図２は、増大されたディスプレイ周波数を有する表示信号を形成するために、どのように複数のメディア信号がフレーム毎にインターレースされるかを示す本願の概略図である。図２の実施形態は、３つの異なるメディア・ソースからの３つのメディア信号２００、３００、４００が３人のユーザにより選択され、増大された周波数でインターレースされるためにプロセッサ１０により受信されることを示す。各メディア信号２００、３００、４００は、本実施形態では、一般的な再生周波数、例えば６０Ｈｚを有する。換言すると、各メディア信号２００、３００、４００は、１秒で６０フレームのメディア信号をプロセッサ１０に提供する。ゴーグル７１、８１、９１は、表示信号を見るために６０Ｈｚの周波数でオンに切り替えられ且つオンに切り替えられる間隔が短い。本願のフレーム毎のインターレース技術を使用することにより、プロセッサ１０は、３つのメディア信号２００、３００、４００を受信し、表示信号５００に示されるように３つのメディア信号２００、３００、４００の同一のシリアル番号を有する各フレームをインターレースする。結果として、表示信号５００は、メディア信号２００の第１のフレームＡ１、メディア信号３００の第１のフレームＢ１、メディア信号４００の第１のフレームＣ１、メディア信号２００の第２のフレームＡ２、メディア信号３００の第２のフレームＢ２、メディア信号４００の第２のフレームＣ２、以降同様、１列に有する。次に、時間制御（Ｔ−ｃｏｎ）部６０は、表示信号５００を制御し、各フレームが１／１８０秒の間、表示されるようにする。これは、パネル４０が表示信号５００を増大された周波数、例えば１８０Ｈｚで表示することを意味する。この増大された周波数は、表示信号５００を見るために各ゴーグル７１、８１、９１が３回オンに切り替わる周波数である。
【００１６】
上述のように、各ゴーグルは対応する同期装置により制御される。パネル４０が第１のフレームＡ１を第１のタイム・スロット（１／１８０ｓ）で表示するとき、第１の同期装置７２は第１のゴーグル７１を上述のように短い間隔である１／１８０秒間オンに切り替え、ゴーグル７１を掛けたユーザがゴーグル７１を通じて第１のフレームＡ１を見ることができるようにし、同時に、全ての他のユーザの掛けているゴーグル８１、・・・、９１はそれらの同期装置によりオフに切り替えられるので、同一の時間間隔で、ゴーグル８１、・・・、９１を掛けている全ての他のユーザが第１のフレームＡ１を見ることができないようにする。パネル４０が第２のフレームＢ１を第２のタイム・スロット（１／１８０ｓ）で表示するとき、第２の同期装置８２は第２のゴーグル８１を１／１８０秒間オンに切り替え、第２のゴーグル８１を掛けたユーザがゴーグル８１を通じて第２のフレームＢ１を見ることができるようにする。表示信号５００の全てのフレームはパネル４０に表示され、受信装置の各ゴーグルは対応するメディア信号の表示タイミングに同期してオンに切り替えられる。複数のユーザは自信のゴーグルを掛けており、本願で開示されたディスプレイ・システムの使用により、異なるメディア・ソースからの異なる番組を同時に見ることができる。
【００１７】
本願のディスプレイ・システムは、ブロードキャスト装置を用いる。該ブロードキャスト装置は、メディア信号を複数のメディア・ソースから受信し、２以上のメディア信号をフレーム毎にインターレースして、該ブロードキャスト装置のパネルに表示される増大された周波数を有する表示信号を形成する。複数のゴーグル及び対応する同期装置、選択器及び音声再生部は、各専用のメディア信号を選択するためにディスプレイ・システムで用いられる。各ユーザにより用いられる各ゴーグルは、同期されて、自身の選択されたメディア信号のタイミングに従うことによりオンに切り替えられ、専用のゴーグルを掛けている２人以上のユーザが単一のブロードキャスト装置で異なる番組を同時に見ることができるようにする。
【００１８】
当業者は、本発明の教示を守りつつ、装置及び方法の多くの変形及び代替がなされうることを直ちに理解するだろう。
【符号の説明】
【００１９】
１０  プロセッサ
１１  音声復号器
１２  ビデオ復号器
１３  復調器
２０  チューナ
２１  ＨＤＭＩ／ＶＤＩ
２２  Ｓビデオ
２３  ＹＰｂＰｒ
２４  ネットワーク
３０  ＲＦモジュール
４０  パネル
５０  音声増幅器
６０  Ｔ−ｃｏｎ
７１、８１、９１  ゴーグル
７２、８２、９２  ＲＦ受信器
７３、８３、９３  ＲＣ
７４、８４、９４  音声再生部
【図１】
2012039589.tif 000003
【図２】
2012039589.tif 000004